(57)【要約】【課題】  把持部構造を簡略化することによりドロップ光ケーブルの把持固定方法の作業効率を向上させることができ、しかも安価なドロップ光ケーブル引落しクロージャの提供。【解決手段】  ドロップ光ケーブル把持部は、ドロップ光ケーブルの光ケーブル部を収容して把持固定する断面Ｕ字状の溝を有し、溝の内面には、対向する突起が形成され、突起は、深さ方向には連続し、長さ方向には所定の間隔をおいて断続的に形成されており、突起を光ケーブル部のシースに食い込ませることにより、光ケーブル部が溝内に把持固定されるように構成したドロップ光ケーブル引落し用クロージャ。【選択図】  図１
2005070293.tif 000002
【特許請求の範囲】
【請求項１】
主光ケーブルからドロップ光ケーブルを引落すためのクロージャであり、該クロージャは、ドロップ光ケーブル把持部を備え、該ドロップ光ケーブル把持部は、ドロップ光ケーブルの光ケーブル部を収容して把持固定する断面Ｕ字状の溝を有し、該溝の内面には、対向する突起が形成され、該突起は、深さ方向には連続し、長さ方向には所定の間隔をおいて断続的に形成されており、前記突起を前記光ケーブル部のシースに食い込ませることにより、前記光ケーブル部が前記溝内に把持固定されるように構成されていることを特徴とするドロップ光ケーブル引落し用クロージャ。
【請求項２】
前記ドロップ光ケーブル把持部は、前記溝が複数個配列一体化されることにより構成されている請求項１記載のドロップ光ケーブル引落し用クロージャ。
【発明の詳細な説明】
【技術分野】
【０００１】
本発明は、ドロップ光ケーブル引落し用クロージャに関し、特に、構造を簡略化したドロップ光ケーブル引落し用クロージャに関するものである。
【背景技術】
【０００２】
需要家が断続的に発生する加入者系光ケーブル線路においては、需要家から最も近い位置にある光ファイバケーブルにクロージャを取付け、その位置からドロップ光ケーブルを分岐して需要家に引き込むドロップ光ケーブル引落し用クロージャが使用されている。
【０００３】
従来のドロップ光ケーブル引落し用クロージャ及び引落し工法を図２乃至図５を参照して説明する。図２は、ドロップ光ケーブル引落し用クロージャの説明図であり、（ａ）は平面説明図、（ｃ）は正面説明図、（ｂ）は側面説明図である。１は、幹線をなす主光ケーブルであり、この主光ケーブル１は、中心に配置されたテンションメンバ（図示せず）と、テンションメンバの外側に設けられ、外周部に複数本のスロット（図示せず）が螺旋状に形成されたスペーサ２と、各スロットに１本又は複数本装入された光ファイバ心線３と、スペーサ２の外周に巻回された押え巻テープ４と、押え巻テープ４を外側から被覆するシース（外被）５からなっている。１０はクロージャで、主光ケーブル１を覆うように長手方向の所定長にわたって設けられると共に、本体となるスリーブ１１は、主光ケーブル１の上部においてヒンジ機構となっており、下部に設けられたワンタッチ具１１ａで容易に取付け、取外し可能となっている。主光ケーブル１は、クロージャ１０内の最上段に取付けられ、シース把持具１３でシース５が把持固定されている。１２は端面板であり、主光ケーブル１導入部１２ａ、ドロップ光ケーブル導入部１２ｂ及び吊金具導入部１２ｃを備えている。１４は連結金具、１５は余長収納トレイ、１６は接続部ホルダ、１７はドロップ光ケーブル把持部、１８は吊金具である。２０は、クロージャ１０から需要家に分岐、引落しされるドロップ光ケーブルである。
【０００４】
最も一般的に使用されているドロップ光ケーブル２０の断面構造を図３に示す。ドロップ光ケーブル２０は、支持線部２１と光ケーブル部２２からなっている。光ケーブル部２２の中心には光ファイバ心線２３が配置され、これを上下から挟むように２本のテンションメンバ２２ａ、２２ａが配置されている。支持線２１ａ、光ファイバ心線２３及びテンションメンバ２２ａ、２２ａは、シース２４で一体化されている。光ファイバ心線２３の両側におけるシース２４には、ノッチ２４ａが形成されており、ノッチ２４ａからシース２４を引き裂くことにより、光ファイバ心線２３が取出されるようになっている。
【０００５】
ドロップ光ケーブル２０は、クロージャ１０内部の主光ケーブル１の下方に取付けられ、需要家数に応じてクロージャ１０から引落しされるドロップ光ケーブル２０の条数が決定される。ドロップ光ケーブル２０の引落し接続に際しては、ドロップ光ケーブル２０の支持線部２１と光ケーブル部２２とは分離され、支持線部２１は、クロージャ１０内には引き込まないで、クロージャ１０を吊下げるつり金具１８に固定するか、主光ケーブル１を支持する吊線（図示せず）に専用の金具で固定される。一方、光ケーブル部２２は、クロージャ１０の両端部に位置する端面板１２に形成された導入部１２ｂからクロージャ１０内部に約１．５ｍ引込んで固定される。
【０００６】
ドロップ光ケーブル２０の光ケーブル部２２の固定方法について図４及び図５を参照して説明する。なお、図５において、（ａ）は平面説明図、（ｂ）は正面説明図、（ｃ）は側面説明図である。クロージャ１０内に引き込まれたケーブル部２２は、端末部のノッチ２４ａからシース２４を分割し、光ファイバ心線２３を所要長露出させる。シース２４は、ドロップ光ケーブル把持部１７近傍で切断し、シース端末の被覆を剥ぎ取り、テンションメンバ２２ａを露出させる（図４）。
【０００７】
続いて、クロージャ１０内に取付けられたドロップ光ケーブル把持部１７の穴１７ｂにテンションメンバ２２ａを挿入し、ネジ１７ａを締付けることにより、ドロップ光ケーブル２０の光ケーブル部２２を固定する（図５）。なお、図に示したドロップ光ケーブル把持部１７には、合計１２条のドロップ光ケーブル２２が固定できるように、２段構造となっている。光ファイバ心線２３は、テンションメンバ挿入孔の中央に設けられた溝１７ｃを通して配線される（例えば、特許文献１、特許文献２）。
【特許文献１】特開２０００−２０６３５８号公報
【特許文献２】特開平１０−１４０８１号公報
【発明の開示】
【発明が解決しようとする課題】
【０００８】
前述したドロップ光ケーブの固定は、需要家が発生する毎に行われるが、次のような問題があった。（１）ドロップ光ケーブルの固定に際しては、ケーブル部のシースを除去してテンションメンバを露出させる必要があるため、作業が煩雑であった。（２）テンションメンバを把持部の孔に挿入し、ネジで固定することになるため、特に複数条のドロップ光ケーブルの固定に際しては、作業が困難で時間を要していた。（３）テンションメンバは、鋼線やＦＲＰ（繊維強化プラスチック）が用いられるが、ＦＲＰのような材質の場合、シースの除去やネジによる固定の際、傷を付け易く断線してしまうことがあった。（４）ドロップ光ケーブル把持部の構造が複雑で、高価であった。
【０００９】
そこで、本発明の目的は、把持部構造を簡略化することによりドロップ光ケーブルの把持固定方法の作業効率を向上させることができ、しかも安価なドロップ光ケーブル引落しクロージャを提供することにある。
【課題を解決するための手段】
【００１０】
上記目的を達成するため、本発明は、主光ケーブルからドロップ光ケーブルを引落すためのクロージャであり、該クロージャは、ドロップ光ケーブル把持部を備え、該ドロップ光ケーブル把持部は、ドロップ光ケーブルの光ケーブル部を収容して把持固定する断面Ｕ字状の溝を有し、該溝の内面には、対向する突起が形成され、該突起は、深さ方向には連続し、長さ方向には所定の間隔をおいて断続的に形成されており、前記突起を前記光ケーブル部のシースに食い込ませることにより、前記光ケーブル部が前記溝内に把持固定されるように構成されているドロップ光ケーブル引落し用クロージャを提供する。ドロップ光ケーブル把持部を構成する溝の数は、需要家数に応じ決定されるが、複数の溝が配列一体化されるのが一般的である。また、突起は長手方向に２箇所以上形成されていれば光ケーブル部の把持固定が可能であり、特に限定するものではない。
【発明の効果】
【００１１】
本発明は、ドロップ光ケーブルの光ケーブル部を収容して把持固定する断面Ｕ字状の溝を有し、該溝の内面には、対向する突起が形成され、該突起は、深さ方向には連続し、長さ方向には所定の間隔をおいて断続的に形成されており、前記突起を前記光ケーブル部のシースに食い込ませることにより、前記光ケーブル部が前記溝内に把持固定される構成のドロップ光ケーブル把持部を有するドロップ光ケーブル引落し用クロージャを提供するものであり、（１）ドロップ光ケーブルの固定に際しては、光ケーブル部を溝に手で押し込むだけで固定でき、作業性が向上して作業時間の短縮をはかることができる、（２）ドロップ光ケーブルのテンションメンバを露出させる作業が不要となり、シース剥ぎ取り時のテンションメンバ損傷がなくなる、（３）ドロップ光ケーブル把持部の構造が簡略化され、安価な把持部の提供が可能になる、といった効果が達成されるようになる。
【発明を実施するための最良の形態】
【００１２】
図１は、本発明に係るドロップ光ケーブル把持部の一実施の形態を示したもので、（ａ）は平面説明図、（ｂ）は正面説明図、（ｃ）は側面説明図である。ドロップ光ケーブル把持部３０には、ドロップ光ケーブル２０の光ケーブル部２２が挿入される溝３１が並列に複数個形成されており、溝３１内には、光ケーブル部２２の長手方向の位置に３個の突起３２が等間隔で設けられている。なお、この突起３２は、図１（ｂ）から明らかな通り、深さ方向には連続的に形成されている。
【００１３】
このような構成のドロップ光ケーブル把持部３０へのドロップ光ケーブル２０の取付けは、次のようにして行われる。図３に示したドロップ光ケーブル２０の吊線部２１と光ケーブル部２２を分離し、吊線部２１はクロージャ１０の外側に従来方法と同様にして固定する。光ケーブル部２２は、クロージャ１０の両端に設けられた端面板１２の導入部１２ｂから約１．５ｍ引き込んだ後、光ケーブル部２２の端末のノッチ２４ａからシース２４を引き裂いて、光ファイバ心線２３を露出させ、引き裂いたシース２４は、ドロップ光ケーブル把持部３０の近傍で切断する。
【００１４】
次に、光ケーブル部２２の端末部をドロップ光ケーブル把持部３０の溝３１の開口部から手で押し込むことによって、突起３２にシース２４を食い込ませて把持固定する。光ケーブル部２２を溝３１の下部まで押し込むことにより、その上部にスペースができるので、さらにドロップ光ケーブル２０を２段重ねで容易に固定することができる。
【００１５】
本発明に係るドロップ光ケーブル把持部３０に要求される条件は、（１）温度伸縮による抗張力（４９Ｎ）を有すること、（２）把持固定することによって、光ファイバの損失増加がないこと、（３）人手でドロップ光ケーブル２０をドロップ光ケーブル把持部３０の溝３１に挿入可能なこと、等があげられる。ドロップ光ケーブル２０の光ケーブル部２２の寸法は、短径２．０ｍｍ、長径４ｍｍが一般的な仕様であり、このような光ゲーブル部２２に対して上記（１）〜（３）の条件を満足するドロップ光ケーブル把持部３０の各部の寸法の最適値は次の通りである。溝３１の幅Ｗ１は、光ケーブル部２２の短径２．０ｍｍ以上である必要があり、突起３２間の寸法Ｗ２は、１．０ｍｍ〜１．５ｍｍであることが好ましく、１．０ｍｍ未満では光ケーブル部２２の挿入が困難であり、１．５ｍｍを越えると把持力が不足する。ドロップ光ケーブル把持部３０の長さＬは、１０ｍｍ以上であることが好ましく、１０ｍｍ未満では把持力が不足する。ドロップ光ケーブル把持部３０の高さＨは、光ケーブル部２２の長径４ｍｍ以上である必要がある。
【図面の簡単な説明】
【００１６】
【図１】本発明において使用されるドロップ光ケーブル把持部の一実施の形態の説明図であり、（ａ）は平面説明図、（ｂ）は正面説明図、（ｃ）は側面説明図。
【図２】ドロップ光ケーブル引落しクロージャの説明図であり、（ａ）は平面説明図、（ｃ）は正面説明図、（ｂ）は側面説明図。
【図３】ドロップ光ケーブルの断面説明図。
【図４】従来のドロップ光ケーブルの端末処理の説明図。
【図５】従来のドロップ光ケーブル把持部の説明図であり、（ａ）は平面説明図、（ｂ）は正面説明図、（ｃ）は側面説明図。
【符号の説明】
【００１７】
１：主光ケーブル
２：スペーサ
３：光ファイバ心線
４：押え巻テープ
５：シース
１０：クロージャ
１１：スリーブ
１２：端面板
１２ａ、１２ｂ、１２ｃ：導入部
１３：シース把持具
２０：ドロップ光ケーブル
２１：支持線部
２１ａ：支持線
２２：光ケーブル部
２２ａ：テンションメンバ
２３：光ファイバ心線
２４：シース
２４ａ：ノッチ
【図１】
2005070293.tif 000003
【図２】
2005070293.tif 000004
【図３】
2005070293.tif 000005
【図４】
2005070293.tif 000006
【図５】
2005070293.tif 000007